(57)【要約】【課題】パネル型照明装置の側方の空間を明るく見せることができる装飾部品および装飾部品付き備えたパネル型照明装置を提供する。【解決手段】装飾部品２０は、天井フレーム３に取り付けられ、下面が発光面部４０とされた透光カバー２１と、天面３２を有して透光カバー２１とともに灯室Ｓを形成するフレーム２２と、灯室Ｓの内部に設けられた光源２３とを有するパネル型照明装置１０の側方の周囲に設けられて、発光面部５１を有する。【選択図】図３
2016004753.tif 000002
【特許請求の範囲】
【請求項１】
天井フレームに取り付けられ、下面が発光面部とされた発光パネルと、天面部を有して前記発光パネルとともに灯室を形成するフレームと、前記灯室の内部に設けられた光源とを有するパネル型照明装置の側方の周囲に設けられて、発光面部を有する装飾部品。
【請求項２】
前記発光面部は、前記パネル型照明装置の前記光源により発光する、請求項１に記載の装飾部品。
【請求項３】
前記発光面部は、前記パネル型照明装置の前記光源とは別の装飾光源により発光する、請求項１に記載の装飾部品。
【請求項４】
前記装飾部品は、前記パネル型照明装置の側面に向かい合う入射面と、前記入射面から入射した光を前記発光面部まで導光する導光部とを有する、請求項１に記載の装飾部品。
【請求項５】
下面が発光面部とされた発光パネルと、天面を有し前記発光パネルとともに灯室を形成するフレームと、前記灯室の内部に設けられた光源と、を有し、天井フレームに取り付けられるパネル型照明装置と、
請求項１から４のいずれか一項に記載の装飾部品と、を備え、
前記装飾部品は、天井フレームと前記パネル型照明装置の間の隙間に設けられている、装飾部品付きパネル型照明装置。
【請求項６】
前記パネル型照明装置は、天井フレームに取り付けられる天井固定部と前記パネル型照明装置のフレームに取り付けられるフレーム固定部とを有する取付片を介して、天井フレームに固定されている、請求項５に記載の装飾部品付きパネル型照明装置。
【請求項７】
前記パネル型照明装置の前記下面は天井フレームより下方に位置し、
前記取付片は、前記パネル型照明装置の側面から水平方向に離れる方向に延びている、請求項６に記載の装飾部品付きパネル型照明装置。
【請求項８】
前記装飾部品は、前記パネル型照明装置の側面に設けられた係合部に係合する、請求項７に記載の装飾部品付きパネル型照明装置。
【発明の詳細な説明】
【技術分野】
【０００１】
本発明は、装飾部品および装飾部品付きパネル型照明装置に関する。
【背景技術】
【０００２】
オフィスビルなどのシステム天井には、面状に発光するパネル型照明装置が取り付けられている。特許文献１に記載のパネル型照明装置は、下方を向く発光面の外周縁まで光らせることにより、パネル型照明装置を明るく見せている。
【先行技術文献】
【特許文献】
【０００３】
【特許文献１】国際公開第２０１３／１３３１４７号
【発明の概要】
【発明が解決しようとする課題】
【０００４】
本発明者らは、パネル型照明装置の側方の空間をさらに明るく見せられる余地があることに気がついた。
【０００５】
そこで本発明は、パネル型照明装置の側方の空間をさらに明るく見せられる装飾部品および側面をさらに明るく見せられる装飾部品付きパネル型照明装置を提供することを目的とする。
【課題を解決するための手段】
【０００６】
本発明にかかる装飾部品は、
天井フレームに取り付けられ、下面が発光面部とされた発光パネルと、天面部を有して前記発光パネルとともに灯室を形成するフレームと、前記灯室の内部に設けられた光源とを有するパネル型照明装置の側方の周囲に設けられて、発光面部を有する。
【０００７】
上記構成の装飾部品によれば、パネル型照明装置の側方の空間を装飾部品によって明るく見せることができる。これにより、パネル型照明装置の側方の空間を含む天井の全体を明るく見せることができる。
【０００８】
上記構成の装飾部品において、前記発光面部は、前記パネル型照明装置の前記光源により発光するものでもよい。上記構成の装飾部品によれば、装飾部品が、パネル型照明装置の光源からの光で発光するので、この装飾部品を発光させるための別途の光源が不要である。
【０００９】
上記構成の装飾部品において、前記発光面部は、前記パネル型照明装置の前記光源とは異なる装飾光源により発光するものでもよい。上記構成の装飾部品によれば、パネル型照明装置の光源とは別の装飾光源によって装飾部品をより明るく発光させることができる。
【００１０】
上記構成の装飾部品において、前記装飾部品は、前記パネル型照明装置の側面部に向かい合う入射面と、前記入射面から入射した光を前記発光面部まで導光する導光部とを有するものでもよい。上記構成の装飾部品によれば、別途の光源を要することなく発光させることができ、また、様々な形状に形成することで、任意の領域を光らせることができる。
【００１１】
本発明にかかる装飾部品付きパネル型照明装置は、
下面が発光面部とされた発光パネルと、天面部を有し前記発光パネルとともに灯室を形成するフレームと、前記灯室の内部に設けられた光源と、を有し、天井フレームに取り付けられるパネル型照明装置と、
上記の装飾部品と、を備え、
前記装飾部品は、天井フレームと前記パネル型照明装置の間の隙間に設けられている。
【００１２】
上記構成の装飾部品付きパネル型照明装置によれば、天井フレームとパネル型照明装置の間の隙間を装飾部品によって明るく見せることができる。これにより、パネル型照明装置の側方の空間を含む天井の全体を明るく見せることができる。
【００１３】
上記構成の装飾部品付きパネル型照明装置において、前記パネル型照明装置は、天井フレームに取り付けられる天井固定部と前記パネル型照明装置のフレームに取り付けられるフレーム固定部とを有する取付片を介して、天井フレームに固定されていてもよい。上記構成の装飾部品付きパネル型照明装置によれば、取付片を用いることで、パネル型照明装置の天井への取り付けが容易になる。
【００１４】
上記構成の装飾部品付きパネル型照明装置において、前記パネル型照明装置の前記発光面部は天井フレームより下方に位置し、前記取付片は、前記パネル型照明装置の側面部から水平方向に離れる方向に延びていてもよい。上記構成の装飾部品付きパネル型照明装置によれば、天井フレームと照明装置の側面部との間に隙間が生じやすいが、この隙間に装飾部品が設けられているので、該隙間を含む天井全体を明るく見せることができる。
【００１５】
上記構成の装飾部品付きパネル型照明装置において、前記装飾部品は、前記パネル型照明装置の側面部に設けられた係合部に係合するものでもよい。上記構成の装飾部品付きパネル型照明装置によれば、装飾部品を係合部に係合させることで、簡単にパネル型照明装置の側面に装飾部品を取り付けることができる。
【発明の効果】
【００１６】
本発明によれば、パネル型照明装置の周囲を明るくすることができる装飾部品および装飾部品付きパネル型照明装置を提供することができる。
【図面の簡単な説明】
【００１７】
【図１】本発明の実施形態に係るパネル型照明装置の下面図である。
【図２】実施形態に係るパネル型照明装置の側面図である。
【図３】実施形態に係る装飾部品を備えたパネル型照明装置の一部の断面図である。
【図４】パネル型照明装置に対する装飾部品の他の固定構造を示すパネル型照明装置の一部の概略断面図である。
【図５】変形例１に係る装飾部品を備えたパネル型照明装置の一部の概略断面図である。
【図６】変形例２に係る装飾部品を備えたパネル型照明装置の一部の概略断面図である。
【図７】変形例２における他の形状の装飾部品を備えたパネル型照明装置の一部の概略断面図である。
【図８】変形例３に係る装飾部品を備えたパネル型照明装置の一部の概略断面図である。
【図９】Ｔバーへのパネル型照明装置の固定構造を示すパネル型照明装置の一部の断面図である。
【図１０】吊りボルトへのパネル型照明装置の固定構造を示すパネル型照明装置の一部の断面図である。
【発明を実施するための形態】
【００１８】
以下、本発明に係る装飾部品および装飾部品付きパネル型照明装置の実施の形態の例を、図面を参照して説明する。
図１は、本実施形態に係るパネル型照明装置１０の下面図であり、透光カバー２１の一部を切り欠いてその内部を示している。図２は、本実施形態に係るパネル型照明装置１０の側面図である。
図１および図２に示すように、本実施形態に係るパネル型照明装置１０は、天井Ｔに取り付けられる。なお、以降の説明において、下方とは図２に示すＸ方向を言い、右方とは図２に示すＹ方向を言う。
【００１９】
（パネル型照明装置）
パネル型照明装置１０は、扁平な直方体形状の照明器具である。パネル型照明装置１０が取り付けられるシステム天井からなる天井Ｔには、天井材１に形成されたパネル空間２が設けられている。このパネル空間２内にパネル型照明装置１０が嵌め込まれる。
【００２０】
パネル型照明装置１０は、電源ケーブル１２を介して接続された電源ユニット１３を備えている。電源ユニット１３は、外部電源１４からの交流電流を所定の電圧または電流として出力可能である。パネル型照明装置１０は、電源ケーブル１２を介して電源ユニット１３から供給される電力によって駆動される。
【００２１】
図３は、本実施形態に係る装飾部品を備えたパネル型照明装置の一部の断面図である。
図３に示すように、パネル型照明装置１０は、透光カバー２１と、フレーム２２と、光源２３と、回路基板２４とを備えている。
【００２２】
透光カバー２１は、乳白色の光透過性のアクリル樹脂などにより一体成形された樹脂成形品である。透光カバー２１は上方に開口した箱型形状をなしている。透光カバー２１は、下方を向く発光面部４０（下面）と、発光面部４０の周縁から上方へ延びる側面部４１と、側面部４１の上端から側方に突き出した係合突起４２とを備えている。透光カバー２１は、光透過率が３０％〜８５％とされ、ヘイズ値が４０％〜１００％とされている。これにより、この透光カバー２１は、光をヘイズ拡散させながら良好に透過しつつ、透光カバー２１の内部を外部から視認させないようにされている。
【００２３】
フレーム２２は、金属板に折り曲げおよび打ち抜き加工を施して形成された部材である。フレーム２２は、平板状の天面３２と、天面３２の周縁から下方へ延びる側壁部３３と、側壁部３３の縁部に設けられ内方に開口する係合溝３４とを有している。
フレーム２２の下部に透光カバー２１が取り付けられ、フレーム２２と透光カバー２１との間に灯室Ｓが形成されている。透光カバー２１の係合突起４２がフレーム２２の係合溝３４に係合されて、透光カバー２１がフレーム２２に装着されている。
【００２４】
灯室Ｓの内部に光源２３および回路基板２４が設けられている。フレーム２２の下面には複数の（図示の例では９枚）矩形状の回路基板２４が搭載されている（図１参照）。回路基板２４に複数の（図示の例では２５個）光源２３が等間隔で搭載されている。
【００２５】
光源２３は、ＬＥＤ（Ｌｉｇｈｔ  Ｅｍｉｔｔｉｎｇ  Ｄｉｏｄｅ）素子３５と、ＬＥＤ素子３５を覆うように形成されたレンズ３６とを備えている。ＬＥＤ素子３５は、蛍光灯に近い色合いの白色光を出射する。ＬＥＤ素子３５を覆うレンズ３６は、ＬＥＤ素子３５からの光を屈折させて下方及び側方の広い範囲に光を出射させる。
【００２６】
（取付片）
パネル型照明装置１０は、取付片６１によって天井フレーム３に固定されている。天井フレーム３は、格子状に張り巡らされており、この天井フレーム３の下部にパネル状の天井材１が設けられている。取付片６１は、金属板を折り曲げおよび打ち抜き加工して形成された部材である。取付片６１は、天井固定部６２と、フレーム固定部６３と、連結部６４を一体に有している。
取付片６１は、フレーム固定部６３が天井固定部６２より下方に位置した段違い形状とされている。天井固定部６２とフレーム固定部６３は、傾斜した連結部６４によって連結されている。
天井固定部６２がネジ６０で天井フレーム３に固定され、フレーム固定部６３がパネル型照明装置１０のフレーム２２の天面３２にネジ６０で固定されることにより、取付片６１はパネル型照明装置１０を天井フレーム３に取付けている。これにより、パネル型照明装置１０は、取付片６１によって天井Ｔの天井フレーム３に固定されている。
パネル型照明装置１０が取付片６１によって天井フレーム３に固定された状態において、透光カバー２１の発光面部４０は天井フレーム３より下方に位置している。また、取付片６１は、パネル型照明装置１０の側面から水平方向に離れる方向に延びている。
【００２７】
（装飾部品）
パネル型照明装置１０の側方の周囲には、装飾部品２０が設けられている。パネル型照明装置１０の側面は、全周にわたって装飾部品２０で覆われている。装飾部品２０は、光透過性を有する樹脂等の透明材から形成されている。装飾部品２０は、発光面部５１と、固定片部５３とを一体に備えている。
【００２８】
固定片部５３は、取付片６１のフレーム固定部６３とフレーム２２の天面３２とにより挟持されている。固定片部５３は、パネル型照明装置１０のフレーム２２の天面３２から外方に延びている。これにより、装飾部品２０は、パネル型照明装置１０の側面を覆う状態でパネル型照明装置１０に取り付けられている。
【００２９】
発光面部５１は、固定片部５３の外縁から下方に延びて内方に屈曲しながらパネル型照明装置１０の透光カバー２１の下面まで連続している。この発光面部５１によって、天井Ｔに対するパネル型照明装置１０の一体感を生じさせている。
装飾部品２０の発光面部５１は、例えば、シボ加工が施され高ヘイズなものとされている。例えば、発光面部５１は、光透過率が３０％〜８５％とされ、ヘイズ値が４０％〜１００％とされている。これにより、この発光面部５１は、光をヘイズ拡散させながら良好に透過させつつ、装飾部品２０の内部を外部から視認させないようにされている。
【００３０】
（効果）
上述のように構成された装飾部品２０付きのパネル型照明装置１０において、ＬＥＤ素子３５が点灯すると、このＬＥＤ素子３５からの光Ｌは、レンズ３６で屈折されて下方および側方の広い範囲に出射される。その光Ｌの一部は透光カバー２１の発光面部４０および側面部４１で拡散されながら下方および側方へ出射され、発光面部４０および側面部４１を発光させる。
【００３１】
また、パネル型照明装置１０から側方へ出射された光Ｌの一部は、側面部４１から装飾部品２０に入射する。この光は装飾部品２０の発光面部５１から拡散されながら下方および側方へ出射される。これにより、パネル型照明装置１０の点灯に伴って、このパネル型照明装置１０の周囲を覆う装飾部品２０も、その全体が発光する。
【００３２】
このように、本実施形態によれば、パネル型照明装置１０の側方の空間を装飾部品２０によって明るく見せることができる。仮に、天井フレーム３とパネル型照明装置１０の側方との間に隙間が生じても、この空間が暗部となりやすいが、装飾部品２０によってこの空間を明るく見せることができる。これにより、パネル型照明装置１０の側方の空間を含む天井全体を明るく見せることができる。しかも、装飾部品２０によって、天井フレーム３へのネジ６０や吊ボルト８５（図１０参照）を見えないようにしたり、パネル型照明装置１０の周囲を装飾したりして、良好な外観を得ることができる。
【００３３】
また、パネル型照明装置１０の周囲の装飾部品２０が発光するので、この装飾部品２０を備えたパネル型照明装置１０を隣接させて設置することで、点灯時にパネル型照明装置１０同士が継ぎ目なく設置されているように見せることができる。
【００３４】
しかも、装飾部品２０は、パネル型照明装置１０の光源２３からの光で発光するので、この装飾部品２０を発光させるための別途の光源が不要である。
【００３５】
また、取付片６１がパネル型照明装置１０の側面から水平方向に離れるように延びているので、天井フレーム３とパネル型照明装置１０の側面との間に隙間が生じやすいが、この隙間に装飾部品２０が設けられて発光するので、パネル型照明装置１０の側方の空間を明るく見せることができる。
【００３６】
また、パネル型照明装置１０の側面への装飾部品２０の固定構造は、取付片６１を用いた構造に限らない。
図４は、パネル型照明装置１０に対する装飾部品２０の他の固定構造を示すパネル型照明装置の一部の概略断面図である。
【００３７】
図４に示すように、装飾部品２０’をパネル型照明装置１０に対して係合させて取り付けても良い。本例において、固定片部６５は金属板である。固定片部６５はフレーム２２の天面３２とフレーム固定部６３とにより挟持されている。固定片部６５はパネル型照明装置１０の側方に突き出し、その先端に爪部６６が設けられている。装飾部品２０’の上端部に、この爪部６６と係合する係合突起６８が設けられている。装飾部品２０’の係合突起６８を固定片部６５の爪部６６に係合させることにより、装飾部品２０’がパネル型照明装置１０に取り付けられている。
【００３８】
上記構造によれば、パネル型照明装置１０の周囲を覆う位置に下方側から装飾部品２０’を嵌め込み、係合突起６８を爪部６６に係合させることで、装飾部品２０’を簡単にパネル型照明装置１０の側面に取り付けることができる。
【００３９】
（変形例１）
また、装飾部品２０の構造は、上述したものに限られない。
図５は、変形例１に係る装飾部品２０Ａを備えたパネル型照明装置１０の一部の概略断面図である。
図５に示すように、変形例１に係る装飾部品２０Ａは、その内部に装飾光源７１を備えている。この装飾光源７１は、パネル型照明装置１０の光源２３とは別の光源である。パネル型照明装置１０の光源２３と装飾光源７１は、共通の電源ユニット１３に接続されている。装飾光源７１は、電源ユニット１３から電力が供給されることで点灯する。
【００４０】
この変形例１では、パネル型照明装置１０の光源２３とは別の装飾光源７１を点灯させることで、装飾部品２０Ａの発光面部５１Ａをより明るく発光させることができる。
また、パネル型照明装置１０の光源２３と装飾光源７１は、共通の電源ユニット１３に接続されているので、装飾光源７１を点灯させる別途の電源ユニットを不要にできる。
【００４１】
（変形例２）
図６は、変形例２に係る装飾部品２０Ｂを備えたパネル型照明装置１０の一部の概略断面図である。
図６に示すように、変形例２に係る装飾部品２０Ｂは、光を導光させる導光体から構成されている。この導光体からなる装飾部品２０Ｂは、パネル型照明装置１０の側面部４１に向かい合う入射面７５と、入射面７５から入射した光を発光面部５１Ｂまで導光する導光部７６を有している。
パネル型照明装置１０の光源２３が点灯されると、その光が入射面７５から装飾部品２０Ｂに入射し、導光部７６で導光されながら発光面部５１Ｂから出射する。
【００４２】
この変形例２に係る装飾部品２０Ｂによれば、別途の光源を要することなく発光させることができ、また、様々な形状に形成することができるので、任意の領域を光らせることができ、また、装飾部品２０Ｂの審美性を高めることができる。例えば、装飾部品は図７に示す形状としてもよい。
図７は、変形例２における他の形状の装飾部品２０Ｂ’を備えたパネル型照明装置１０の一部の概略断面図である。図７に示すように、装飾部品２０Ｂ’の下面７７を平端面に形成し、パネル型照明装置１０からの光を下面７７で多く反射させながら装飾部品２０Ｂ’の側方へ光を集めることができる。これにより、装飾部品２０Ｂ’の側面から多くの光を出射させて、パネル型照明装置１０の側方をより明るく見せることができる。
【００４３】
（変形例３）
図８は、変形例３に係る装飾部品を備えたパネル型照明装置の一部の概略断面図である。
図８に示すように、変形例３に係る装飾部品２０Ｃは、反射面からなる発光面部５１Ｃを有している。この発光面部５１は、例えば、装飾部品２０Ｃの表面を白色に塗装したり、装飾部品２０Ｃの表面に白色反射シートを貼り付けることにより、光を反射する反射面とされている。
【００４４】
この装飾部品２０Ｃでは、パネル型照明装置１０の光源２３が点灯すると、その光が反射面からなる発光面部５１Ｃで反射される。これにより、別途光源を設けることなく、発光面部５１Ｃはパネル型照明装置１０からの光を反射させて発光する。
【００４５】
なお、パネル型照明装置１０の天井Ｔへの固定構造は、上記の例に限らず、各種の固定構造で天井Ｔに固定することができる。
以下、パネル型照明装置１０の天井Ｔへの他の固定構造について説明する。
【００４６】
図９は、Ｔバー８１を備えた天井Ｔへのパネル型照明装置１０の固定構造を示すパネル型照明装置１０の一部の断面図である。
図９に示すように、天井Ｔには、天井フレームに固定されるＴバー８１が設けられている。一方、取付片６１Ａは、連結部６４Ａがフレーム固定部６３Ａから上方へ延在され、天井固定部６２Ａが、下方側が開いたＵ字状に屈曲されている。この天井固定部６２Ａは、Ｔバー８１の上端に係止されている。この固定構造によれば、Ｔバー８１を有する天井Ｔに対して容易にかつ確実にパネル型照明装置１０を取り付けることができる。
【００４７】
図１０は、吊りボルト８５を備えた天井Ｔへのパネル型照明装置１０の固定構造を示すパネル型照明装置１０の一部の断面図である。
図１０に示すように、天井Ｔには、吊りボルト８５が吊り下げられている。一方、取付片６１Ｂの天井固定部６２Ｂには、吊りボルト８５が挿通可能な挿通孔（図示略）が形成されている。この天井固定部６２は、その挿通孔に吊りボルト８５が通され、吊りボルト８５に螺合されたナット８６によって挟まれて締結固定されている。この固定構造によれば、吊りボルト８５を有する天井Ｔに対して容易にかつ確実にパネル型照明装置１０を取り付けることができる。
【００４８】
なお、上述した実施形態およびその変形例では、取付片をパネル型照明装置１０と別体の部材として説明したが、取付片をフレーム２２と一体に形成してもよい。
【符号の説明】
【００４９】
３：天井フレーム
１０：パネル型照明装置
２０，２０’，２０Ａ，２０Ｂ，２０Ｂ’，２０Ｃ：装飾部品
２１：発光パネル
２２：フレーム
２３：光源
３２：天面
４０：発光面部（下面）
５１，５１Ａ，５１Ｂ，５１Ｂ’，５１Ｃ，：発光面部
６１，６１Ａ，６１Ｂ：取付片
６２：天井固定部
６３：フレーム固定部
７１：装飾光源
Ｓ：灯室
【図１】
2016004753.tif 000003
【図２】
2016004753.tif 000004
【図３】
2016004753.tif 000005
【図４】
2016004753.tif 000006
【図５】
2016004753.tif 000007
【図６】
2016004753.tif 000008
【図７】
2016004753.tif 000009
【図８】
2016004753.tif 000010
【図９】
2016004753.tif 000011
【図１０】
2016004753.tif 000012